(57)【要約】【課題】従来の技術による諸問題を解決するため、有効感知領域がずらして配列されたフォトセンサー及び関連方法を提供する。【解決手段】フォトセンサーは、複数の第一原色フォトセンサーを含んで光線を感知して複数の第一サブピクセルを生じさせる一列の第一原色フォトセンサーと、複数の第二原色フォトセンサーを含んで光線を感知して複数の第二サブピクセルを生じさせる一列の第二原色フォトセンサーとを含む。そのうち各第一原色フォトセンサーの有効感知領域の第一端はセンサー長の方向に沿って対応する第二原色フォトセンサーの有効感知領域の第一端と０を上回った第一長さとの間隔を有する。【選択図】図７
2006074717.tif 000002
【特許請求の範囲】
【請求項１】
複数の第一原色フォトセンサーを含んで光線を感知して複数の第一サブピクセルを生じさせる一列の第一原色フォトセンサーと、
複数の第二原色フォトセンサーを含んで光線を感知して複数の第二サブピクセルを生じさせる一列の第二原色フォトセンサーとを含み、そのうち各第一原色フォトセンサーの有効感知領域の第一端はセンサー長の方向に沿って対応する第二原色フォトセンサーの有効感知領域の第一端と０を上回った第一長さとの間隔を有することを特徴とするフォトセンサー。
【請求項２】
前記第一原色フォトセンサーと第二原色フォトセンサーとのセンサー長は同じであり、前記第一長さはセンサー長の３分の１であることを特徴とする請求項１記載のフォトセンサー。
【請求項３】
前記第一原色フォトセンサーは有効感知領域と無効感知領域を含むことを特徴とする請求項１記載のフォトセンサー。
【請求項４】
前記第一原色フォトセンサーの無効感知領域はフォトマスクで第一原色フォトセンサーの表面を覆うことによって形成することを特徴とする請求項３記載のフォトセンサー。
【請求項５】
前記第一原色フォトセンサーの無効感知領域は第一原色フォトセンサーの表面を黒く塗りつぶすことによって形成することを特徴とする請求項３記載のフォトセンサー。
【請求項６】
前記第二原色フォトセンサーは有効感知領域と無効感知領域を含むことを特徴とする請求項１記載のフォトセンサー。
【請求項７】
前記第二原色フォトセンサーの無効感知領域はフォトマスクで第二原色フォトセンサーの表面を覆うことによって形成することを特徴とする請求項６記載のフォトセンサー。
【請求項８】
前記第二原色フォトセンサーの無効感知領域は第二原色フォトセンサーの表面を黒く塗りつぶすことによって形成することを特徴とする請求項６記載のフォトセンサー。
【請求項９】
前記フォトセンサーは更に、複数の第三原色フォトセンサーを含んで光線を感知して複数の第三サブピクセルを生じさせる一列の第三原色フォトセンサーを含み、そのうち各第三原色フォトセンサーの有効感知領域の第一端はセンサー長の方向に沿って対応する第二原色フォトセンサーの有効感知領域の第一端と０を上回った第二長さとの間隔を有することを特徴とする請求項１記載のフォトセンサー。
【請求項１０】
前記第一原色フォトセンサーと、第二原色フォトセンサーと、第三原色フォトセンサーとのセンサー長は同じであり、前記第一長さと第二長さはセンサー長の３分の１であることを特徴とする請求項９記載のフォトセンサー。
【請求項１１】
前記第三原色フォトセンサーは有効感知領域と無効感知領域を含むことを特徴とする請求項９記載のフォトセンサー。
【請求項１２】
前記第三原色フォトセンサーの無効感知領域はフォトマスクで第三原色フォトセンサーの表面を覆うことによって形成することを特徴とする請求項１１記載のフォトセンサー。
【請求項１３】
前記第三原色フォトセンサーの無効感知領域は第三原色フォトセンサーの表面を黒く塗りつぶすことによって形成することを特徴とする請求項１１記載のフォトセンサー。
【請求項１４】
前記第一原色フォトセンサーが赤色フォトセンサーであることを特徴とする請求項１記載のフォトセンサー。
【請求項１５】
前記第二原色フォトセンサーが緑色フォトセンサーであることを特徴とする請求項１記載のフォトセンサー。
【請求項１６】
前記第三原色フォトセンサーが青色フォトセンサーであることを特徴とする請求項９記載のフォトセンサー。
【請求項１７】
画像走査方法であって、
第一原色フォトセンサーが光線を感知して生じさせたサブピクセルと、第二原色フォトセンサーが光線を感知して生じさせた第一サブピクセルと、第三原色フォトセンサーが光線を感知して生じさせた第一サブピクセルとを結合して第一ピクセルを生じさせ、
第一原色フォトセンサーが光線を感知して生じさせたサブピクセルと、第二原色フォトセンサーが光線を感知して生じさせた第二サブピクセルと、第三原色フォトセンサーが光線を感知して生じさせた第一サブピクセルとを結合して第二ピクセルを生じさせ、
第一原色フォトセンサーが光線を感知して生じさせたサブピクセルと、第二原色フォトセンサーが光線を感知して生じさせた第二サブピクセルと、第三原色フォトセンサーが光線を感知して生じさせた第二サブピクセルとを結合して第三ピクセルを生じさせるなどのステップを含むことを特徴とする画像走査方法。
【請求項１８】
前記各第一原色フォトセンサーの有効感知領域の第一端はセンサー長の方向に沿って第二原色フォトセンサーの有効感知領域の第一端と０を上回った第一長さとの間隔を有し、各第三原色フォトセンサーの有効感知領域の第一端はセンサー長の方向に沿って第二原色フォトセンサーの有効感知領域の第一端と０を上回った第二長さとの間隔を有することを特徴とする請求項１７記載の画像走査方法。
【請求項１９】
前記第一原色フォトセンサーが光線を感知して生じさせたサブピクセルは赤色サブピクセルであることを特徴とする請求項１７記載の画像走査方法。
【請求項２０】
前記第二原色フォトセンサーが光線を感知して生じさせた第一サブピクセルと第二サブピクセルは緑色サブピクセルであることを特徴とする請求項１７記載の画像走査方法。
【請求項２１】
前記第三原色フォトセンサーが光線を感知して生じさせた第一サブピクセルと第二サブピクセルは青色サブピクセルであることを特徴とする請求項１７記載の画像走査方法。
【発明の詳細な説明】
【技術分野】
【０００１】
この発明はフォトセンサー及び関連方法に関し、特に各原色フォトセンサーの有効感知領域がずらして配列されたフォトセンサー及び関連方法に関する。
【背景技術】
【０００２】
スキャナーは文書をスキャンして対応する画像データを生じさせるコンピューター周辺製品である。そのほか、スキャナーは電話線で画像データをファクシミリに送信するか、またはネットワークで画像データを電子メールで送信するか、もしくはプリンターを通して画像データをプリントすることも可能である。
【０００３】
図１と図２を参照する。図１は従来のスキャナー１０を表す説明図であり、図２は従来のスキャナーのブロック図である。スキャナー１０はハウジング１２と、スキャナー１０の動作を制御する制御回路２２と、ハウジング１２内に設けられるスキャンモジュール１８と、ハウジング１２に設けられて制御回路２２とスキャンモジュール１８との間に接続されるステップモーター２０とを含む。図１によれば、ハウジング１２にはスキャン予定の文書１６を置くための透明プラットホーム１４が設けられる。スキャンモジュール１８で文書１６をスキャンするとき、制御回路２２はステップモーター２０を前後に動かすことによってスキャンモジュール１８を前後に移動させる。
【０００４】
図３を参照する。図３は従来のスキャンモジュール１８のフォトセンサーを表す説明図である。スキャンモジュール１８は、第一原色フォトセンサー２４と、第二原色フォトセンサー２６と、第三原色フォトセンサー２８など赤、緑、青３列のフォトセンサーを有し、３列のフォトセンサーは文書１６によって反射された赤色光、緑色光、青色光をそれぞれ感知する。各フォトセンサーは各サブピクセルの光信号を感知し、３原色の光信号を合わせればピクセルとなる。例えば、第一原色フォトセンサー２４によって感知されたサブピクセルＲ１１と、第二原色フォトセンサー２６によって感知されたサブピクセルＧ２１と、第三原色フォトセンサー２８によって感知されたサブピクセルＢ３１は第一ピクセル３０として合わせられ、サブピクセルＲ１２と、サブピクセルＧ２２と、サブピクセルＢ３２は第二ピクセル３２として合わせられ、他も同様である。スキャンモジュール１８の走査解像度は第一原色フォトセンサー２４と、第二原色フォトセンサー２６と、第三原色フォトセンサー２８によって感知された単位面積あたりのピクセル数にかかる。例えば、スキャナー１０の走査解像度が６００ｄｐｉまたは１２００ｄｐｉとすれば、スキャンモジュール１８の第一原色フォトセンサー２４と、第二原色フォトセンサー２６と、第三原色フォトセンサー２８はインチごとに６００個または１２００個のサブピクセルを有し、全部合わせてインチごとに６００個または１２００個のピクセルがある。
【０００５】
図４を参照する。図４はその他の従来のスキャンモジュール１８のフォトセンサーを表す説明図である。スキャンモジュール３３は１列のフォトセンサーを有し、フォトセンサーでは第一原色フォトセンサー２４と、第二原色フォトセンサー２６と、第三原色フォトセンサー２８がずらして配列される。第一原色フォトセンサー２４によって感知されたサブピクセルＲ１１と、第二原色フォトセンサー２６によって感知されたサブピクセルＧ１２と、第三原色フォトセンサー２８によって感知されたサブピクセルＢ１３は第一ピクセル３４として合わせられ、サブピクセルＧ１２と、サブピクセルＢ１３と、サブピクセルＲ１４は第二ピクセル３６として合わせられ、サブピクセルＢ１３と、サブピクセルＲ１４と、サブピクセルＧ１５は第三ピクセル３８として合わせられ、他も同様である。図３と比べて、フォトセンサーがインチごとに６００個または１２００個のサブピクセルを有する場合、この実施例ではピクセルを重複サンプリングするため、理論的に走査解像度は３倍、すなわち１８００ｄｐｉ（６００ｄｐｉ×３）または３６００ｄｐｉ（１２００ｄｐｉ×３）となる。このような構造は少数のフォトセンサーで最大の走査解像度を実現できるが、第一原色フォトセンサー２４と、第二原色フォトセンサー２６と、第三原色フォトセンサー２８を一列としてずらして配列するには困難だけでなく多大なコストを要する。
【発明の開示】
【発明が解決しようとする課題】
【０００６】
この発明は前述の問題を解決するため、有効感知領域がずらして配列されたフォトセンサー及び関連方法を提供することを課題とする。
【課題を解決するための手段】
【０００７】
この発明によるフォトセンサーは、複数の第一原色フォトセンサーを含んで光線を感知して複数の第一サブピクセルを生じさせる一列の第一原色フォトセンサーと、複数の第二原色フォトセンサーを含んで光線を感知して複数の第二サブピクセルを生じさせる一列の第二原色フォトセンサーとを含む。そのうち各第一原色フォトセンサーの有効感知領域の第一端はセンサー長の方向に沿って対応する第二原色フォトセンサーの有効感知領域の第一端と０を上回った第一長さとの間隔を有する。
【０００８】
この発明は更に画像走査方法を提供する。該方法は、第一原色フォトセンサーが光線を感知して生じさせたサブピクセルと、第二原色フォトセンサーが光線を感知して生じさせた第一サブピクセルと、第三原色フォトセンサーが光線を感知して生じさせた第一サブピクセルとを結合して第一ピクセルを生じさせ、第一原色フォトセンサーが光線を感知して生じさせたサブピクセルと、第二原色フォトセンサーが光線を感知して生じさせた第二サブピクセルと、第三原色フォトセンサーが光線を感知して生じさせた第一サブピクセルとを結合して第二ピクセルを生じさせ、第一原色フォトセンサーが光線を感知して生じさせたサブピクセルと、第二原色フォトセンサーが光線を感知して生じさせた第二サブピクセルと、第三原色フォトセンサーが光線を感知して生じさせた第二サブピクセルとを結合して第三ピクセルを生じさせるなどのステップを含む。
【発明の効果】
【０００９】
この発明は各原色フォトセンサーの有効感知領域をずらして配列する。各原色フォトセンサーを一対一で対応させるのでなく、文書走査方向に沿って一部重なるようにさせ、単一の原色フォトセンサーによって感知されたサブピクセルに対する重複サンプリングを可能にする。よって同じサブピクセルは複数のピクセルに利用される。したがってセンサー数を維持しながら解像度を引き上げることが可能となる。この発明による構造は原色フォトセンサーを一列として配列するわけではないため、特殊の製作工程または多大なコストを要しない。
【発明を実施するための最良の形態】
【００１０】
かかる装置と方法の特徴を詳述するために、具体的な実施例を挙げ、図示を参照にして以下に説明する。
【実施例１】
【００１１】
図５と図６を参照する。図５はこの発明によるスキャナー５０を表す説明図であり、図６はこの発明によるスキャナー５０のブロック図である。スキャナー５０はハウジング５２と、スキャナー５０の動作を制御する制御回路６２と、ハウジング５２内に設けられるスキャンモジュール５８と、ハウジング５２に設けられて制御回路６２とスキャンモジュール５８との間に接続されるステップモーター６０とを含む。図５によれば、ハウジング５２にはスキャン予定の文書５６を置くための透明プラットホーム５４が設けられる。スキャンモジュール５８で文書５６をスキャンするとき、制御回路６２はステップモーター６０を前後に動かすことによってスキャンモジュール５８を前後に移動させる。
【００１２】
図７を参照する。図７はこの発明の実施例１によるスキャンモジュール５８のフォトセンサーを表す説明図である。スキャンモジュール５８は、ｎ行を間隔として配列された第一原色フォトセンサー６４と、第二原色フォトセンサー６６と、第三原色フォトセンサー６８と３列のフォトセンサーを有する。第一原色フォトセンサー６４の列は直線に配列された１３６００個の第一原色フォトセンサー６４からなり、第二原色フォトセンサー６６の列は直線に配列された１３６００個の第二原色フォトセンサー６６からなり、第三原色フォトセンサー６８の列は直線に配列された１３６００個の第三原色フォトセンサー６８からなる。第一原色フォトセンサー６４と、第二原色フォトセンサー６６と、第三原色フォトセンサー６８はそれぞれ赤色フォトセンサー、緑色フォトセンサー、青色フォトセンサーであり、文書１６によって反射された赤色光、緑色光、青色光をそれぞれ感知する。各フォトセンサーは各サブピクセルの光信号を感知する。したがって第一原色フォトセンサー６４は第一原色光を感知して第一サブピクセルを生じさせ、第二原色フォトセンサー６６は第二原色光を感知して第二サブピクセルを生じさせ、第三原色フォトセンサー６８は第三原色光を感知して第三サブピクセルを生じさせる。第一サブピクセル、第二サブピクセル、第三サブピクセルは合わせてピクセルとなる。
【００１３】
実施例１において、各第一原色フォトセンサー６４のセンサー長は、各第二原色フォトセンサー６６のセンサー長と各第三原色フォトセンサー６８のセンサー長と同じである。第一原色フォトセンサー６４と、第二原色フォトセンサー６６と、第三原色フォトセンサー６８の有効感知領域はそのセンサー領域である。なお、各第一原色フォトセンサー６４の第一端はそれに対応する第二原色フォトセンサー６６の第一端とセンサー長方向に沿って０を上回った第一長さＬ１との間隔を有し、各第二原色フォトセンサー６６の第一端はそれに対応する第三原色フォトセンサー６８の第一端とセンサー長方向に沿って０を上回った第二長さＬ２との間隔を有する。第一長さＬ１と第二長さＬ２は同一または相違する。この実施例では、第一長さＬ１と第二長さＬ２はいずれもセンサー長の３分の１である。言い換えれば、各第一原色フォトセンサー６４の第一端はそれに対応する第二原色フォトセンサー６６の第一端とセンサー長方向に沿って３分の１センサー長との間隔を有し、各第二原色フォトセンサー６６の第一端はそれに対応する第三原色フォトセンサー６８の第一端とセンサー長方向に沿って３分の１センサー長との間隔を有する。
【００１４】
図７と図８を参照する。図８はこの発明の実施例１によるスキャンモジュール５８で画像をスキャンするフローチャートであり、以下のステップを含む。
【００１５】
ステップ１００：第一原色フォトセンサー６４によって感知されたサブピクセルＲ１と、第二原色フォトセンサー６６によって感知されたサブピクセルＧｎ１と、第三原色フォトセンサー６８によって感知されたサブピクセルＢ２ｎ１を第一ピクセルＰ１として合わせる。
【００１６】
ステップ１１０：第一原色フォトセンサー６４によって感知されたサブピクセルＲ２と、第二原色フォトセンサー６６によって感知されたサブピクセルＧｎ１と、第三原色フォトセンサー６８によって感知されたサブピクセルＢ２ｎ１を第二ピクセルＰ２として合わせる。
【００１７】
ステップ１２０：第一原色フォトセンサー６４によって感知されたサブピクセルＲ２と、第二原色フォトセンサー６６によって感知されたサブピクセルＧｎ２と、第三原色フォトセンサー６８によって感知されたサブピクセルＢ２ｎ１を第三ピクセルＰ３として合わせる。
【００１８】
ステップ１３０：第一原色フォトセンサー６４によって感知されたサブピクセルＲ２と、第二原色フォトセンサー６６によって感知されたサブピクセルＧｎ２と、第三原色フォトセンサー６８によって感知されたサブピクセルＢ２ｎ２を第四ピクセルＰ４として合わせる。
【００１９】
ステップ１４０：第一原色フォトセンサー６４によって感知されたサブピクセルＲ３と、第二原色フォトセンサー６６によって感知されたサブピクセルＧｎ２と、第三原色フォトセンサー６８によって感知されたサブピクセルＢ２ｎ２を第五ピクセルＰ４として合わせる。
【００２０】
ステップ１５０：第一原色フォトセンサー６４によって感知されたサブピクセルＲ１３６００と、第二原色フォトセンサー６６によって感知されたサブピクセルＧｎ１３６００と、第三原色フォトセンサー６８によって感知されたサブピクセルＢ２ｎ１３６００を第４０８００ピクセルＰ４０８００として合わせるまで前述のサブピクセル合成を続ける。第４０８００ピクセルＰ４０８００を完成すれば、文書５６の一回走査は完成される。
【００２１】
図７によれば、第一原色フォトセンサー６４の列と、第二原色フォトセンサー６６の列と、第三原色フォトセンサー６８の列はずらして配列されるため、第一原色フォトセンサー６４と、第二原色フォトセンサー６６と、第三原色フォトセンサー６８は矢印方向（スキャンモジュール５８が文書５６をスキャンする方向）に沿って一部重なっており、先端がそろっている従来のスキャンモジュールの第一原色フォトセンサーと、第二原色フォトセンサーと、第三原色フォトセンサーと異なる。そのため、第一原色フォトセンサーは文書走査方向に沿って第二原色フォトセンサーと第三原色フォトセンサーと対応する。この発明による原色フォトセンサーは文書走査方向に沿って一部重なっているため、単一の原色フォトセンサーによって感知されたサブピクセルは重複サンプリングされる。すなわち、同じサブピクセルが複数のピクセルと対応する。
【００２２】
前述の通りに、サブピクセルは３回サンプリングされる。そのため、ステップモーター６０でスキャンモジュール５８を牽引して１回のスキャンを行えば、センサーは従来の１３６００個でなくその３倍の４０８００個のピクセルを生じさせる。すなわち、この発明によるスキャンモジュールはセンサー数が同じ前提において、従来の３倍の解像度を得られる。ピクセルグレイスケールについては、ピクセルグレイスケール値はサブピクセルの原色光信号にウェートをつけて合計して得たものであるため、ピクセルのグレイスケール解像度も従来の３倍である。
【実施例２】
【００２３】
図９を参照する。図９はこの発明の実施例２によるスキャンモジュール７２のフォトセンサーを表す説明図である。スキャンモジュール７２も、ｎ行を間隔として配列された第一原色フォトセンサー７４と、第二原色フォトセンサー７６と、第三原色フォトセンサー７８と３列のフォトセンサーを有する。第一原色フォトセンサー７４の列は直線に配列された１３６００個の第一原色フォトセンサー７４からなり、第二原色フォトセンサー７６の列は直線に配列された１３６００個の第二原色フォトセンサー７６からなり、第三原色フォトセンサー７８の列は直線に配列された１３６００個の第三原色フォトセンサー７８からなる。第一原色フォトセンサー７４と、第二原色フォトセンサー７６と、第三原色フォトセンサー７８はそれぞれ赤色フォトセンサー、緑色フォトセンサー、青色フォトセンサーであり、文書５６によって反射された赤色光、緑色光、青色光をそれぞれ感知する。
【００２４】
実施例２において同じく、各第一原色フォトセンサー７４のセンサー長は、各第二原色フォトセンサー７６のセンサー長と各第三原色フォトセンサー７８のセンサー長と同じである。しかし、実施例１との相違点は、各第一原色フォトセンサー６４と、各第二原色フォトセンサー６６と、各第三原色フォトセンサー６８の有効感知領域はそのセンサー領域ではないことである。すなわち、各第一原色フォトセンサー７４と、各第二原色フォトセンサー７６と、各第三原色フォトセンサー７８は有効感知領域（図９におけるフォトセンサーの白色部分）と無効感知領域（図９におけるフォトセンサーの斜線部分）を有する。無効感知領域はフォトマスクでフォトセンサーの表面を覆うか、フォトセンサーの表面を黒く塗りつぶすことによって形成する。この実施例において、各フォトセンサーの有効感知領域はフォトセンサーの３分の２の領域面積を占め、無効感知領域は３分の１の面積を占める。各フォトセンサーの有効感知領域の先端は文書走査方向に沿ってそろっていない。
【００２５】
実施例２において、スキャンモジュール７２のフォトセンサーによって感知されたサブピクセルをサンプリングしてピクセルを形成する仕組みは実施例１と同じである。図９と図１０を参照する。図１０はこの発明の実施例２によるスキャンモジュール７２で画像をスキャンするフローチャートであり、以下のステップを含む。
【００２６】
ステップ２００：第一原色フォトセンサー７４によって感知されたサブピクセルＲ１と、第二原色フォトセンサー７６によって感知されたサブピクセルＧｎ１と、第三原色フォトセンサー７８によって感知されたサブピクセルＢ２ｎ１を第一ピクセルＰ１として合わせる。
【００２７】
ステップ２１０：第一原色フォトセンサー７４によって感知されたサブピクセルＲ２と、第二原色フォトセンサー７６によって感知されたサブピクセルＧｎ１と、第三原色フォトセンサー７８によって感知されたサブピクセルＢ２ｎ１を第二ピクセルＰ２として合わせる。
【００２８】
ステップ２２０：第一原色フォトセンサー７４によって感知されたサブピクセルＲ２と、第二原色フォトセンサー７６によって感知されたサブピクセルＧｎ２と、第三原色フォトセンサー７８によって感知されたサブピクセルＢ２ｎ１を第三ピクセルＰ３として合わせる。
【００２９】
ステップ２３０：第一原色フォトセンサー７４によって感知されたサブピクセルＲ２と、第二原色フォトセンサー７６によって感知されたサブピクセルＧｎ２と、第三原色フォトセンサー７８によって感知されたサブピクセルＢ２ｎ２を第四ピクセルＰ４として合わせる。
【００３０】
ステップ２４０：第一原色フォトセンサー７４によって感知されたサブピクセルＲ３と、第二原色フォトセンサー７６によって感知されたサブピクセルＧｎ２と、第三原色フォトセンサー７８によって感知されたサブピクセルＢ２ｎ２を第五ピクセルＰ４として合わせる。
【００３１】
ステップ２５０：第一原色フォトセンサー７４によって感知されたサブピクセルＲ１３６００と、第二原色フォトセンサー７６によって感知されたサブピクセルＧｎ１３６００と、第三原色フォトセンサー７８によって感知されたサブピクセルＢ２ｎ１３６００を第４０８００ピクセルＰ４０８００として合わせるまで前述のサブピクセル合成を続ける。第４０８００ピクセルＰ４０８００を完成すれば、文書５６の一回走査は完成される。
【００３２】
図１０によれば、第一原色フォトセンサー７４の列と、第二原色フォトセンサー７６の列と、第三原色フォトセンサー７８の列はずらして配列されるため、第一原色フォトセンサー７４と、第二原色フォトセンサー７６と、第三原色フォトセンサー７８は矢印方向（スキャンモジュール７２が文書５６をスキャンする方向）に沿って一部重なっており、先端がそろっている従来のスキャンモジュールの第一原色フォトセンサーと、第二原色フォトセンサーと、第三原色フォトセンサーと異なる。すなわち、同じサブピクセルが複数のピクセルと対応する。注意すべき点は、ピクセルのサブピクセルサンプリング位置がセンサーの無効感知領域にあれば、近隣のセンサーの有効感知領域で感知されたサブピクセルデータを無効感知領域にあるサブピクセルデータとする。例えば、第一ピクセルＰ１の位置はサブピクセルＲ１と、サブピクセルＧｎ１と、第三原色フォトセンサー７８の無効感知領域と対応するため、近隣の第三原色フォトセンサー７８によって感知されたサブピクセルＢ２ｎ１を第一ピクセルＰ１の第三原色光データとする。第二ピクセルＰ２の位置は第一原色フォトセンサー７４の無効感知領域、サブピクセルＧｎ１と、サブピクセルＢ２ｎ１と対応するため、近隣の第一原色フォトセンサー７４によって感知されたサブピクセルＲ２を第二ピクセルＰ２の第一原色光データとする。実施例１と同じく、サブピクセルは３回サンプリングされる。そのため、ステップモーター６０でスキャンモジュール７２を牽引して１回のスキャンを行えば、センサーは従来の１３６００個でなくその３倍の４０８００個のピクセルを生じさせる。すなわち、この発明によるスキャンモジュール７２はセンサー数が同じ前提において、従来の３倍の解像度を得られる。ピクセルグレイスケールについては、ピクセルグレイスケール値はサブピクセルの原色光信号にウェートをつけて合計して得たものであるため、ピクセルのグレイスケール解像度も従来の３倍である。
【実施例３】
【００３３】
図１１を参照する。図１１はこの発明の実施例３によるスキャンモジュール８２のフォトセンサーを表す説明図である。スキャンモジュール８２も、ｎ行を間隔として配列された第一原色フォトセンサー８４と、第二原色フォトセンサー８６と、第三原色フォトセンサー８８と３列のフォトセンサーを有する。第一原色フォトセンサー８４の列は直線に配列された１３６００個の第一原色フォトセンサー８４からなり、第二原色フォトセンサー８６の列は直線に配列された１３６００個の第二原色フォトセンサー８６からなり、第三原色フォトセンサー８８の列は直線に配列された１３６００個の第三原色フォトセンサー８８からなる。第一原色フォトセンサー８４と、第二原色フォトセンサー８６と、第三原色フォトセンサー８８はそれぞれ赤色フォトセンサー、緑色フォトセンサー、青色フォトセンサーであり、文書５６によって反射された赤色光、緑色光、青色光をそれぞれ感知する。
【００３４】
実施例３と実施例２との相違点は、各第一原色フォトセンサー８４と、各第二原色フォトセンサー８６と、各第三原色フォトセンサー８８は有効感知領域（図１１におけるフォトセンサーの白色部分）はフォトセンサーの３分の１の領域面積を占め、無効感知領域（図１１におけるフォトセンサーの斜線部分）は３分の２の面積を占めることである。フォトセンサーの無効感知領域はフォトマスクでフォトセンサーの表面を覆うか、フォトセンサーの表面を黒く塗りつぶすことによって形成する。実施例３の画像サンプリングは実施例２と同じであるため、ここでその説明を省略する。実施例２と同じく、サブピクセルは３回サンプリングされる。そのため、ステップモーター６０でスキャンモジュール８２を牽引して１回のスキャンを行えば、センサーは従来の１３６００個でなくその３倍の４０８００個のピクセルを生じさせる。すなわち、この発明によるスキャンモジュール８２はセンサー数が同じ前提において、従来の３倍の解像度を得られる。ピクセルグレイスケールについては、ピクセルグレイスケール値はサブピクセルの原色光信号にウェートをつけて合計して得たものであるため、ピクセルのグレイスケール解像度も従来の３倍である。
【００３５】
前述の通りに、実施例２と実施例３は各フォトセンサーの有効感知領域をずらして配列することによって、単一の原色フォトセンサーによって感知されたサブピクセルを重複サンプリングする。もっとも、フォトセンサーの有効感知領域が占める面積は前述の３分の２または３分の１に限らない。
【００３６】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００３７】
この発明は各原色フォトセンサーの有効感知領域をずらして配列する。各原色フォトセンサーを一対一で対応させるのでなく、文書走査方向に沿って一部重なるようにさせ、単一の原色フォトセンサーによって感知されたサブピクセルに対する重複サンプリングを可能にする。よって同じサブピクセルは複数のピクセルに利用される。したがってセンサー数を維持しながら解像度を引き上げることが可能となる。この発明による構造は原色フォトセンサーを一列として配列するわけではないため、特殊の製作工程または多大なコストを要しない。
【図面の簡単な説明】
【００３８】
【図１】従来のスキャナーを表す説明図である。
【図２】従来のスキャナーのブロック図である。
【図３】従来のスキャンモジュールのフォトセンサーを表す説明図である。
【図４】その他の従来のスキャンモジュールのフォトセンサーを表す説明図である。
【図５】この発明によるスキャナーを表す説明図である。
【図６】この発明によるスキャナーのブロック図である。
【図７】この発明の実施例１によるスキャンモジュールのフォトセンサーを表す説明図である。
【図８】この発明の実施例１によるスキャンモジュールで画像をスキャンするフローチャートである。
【図９】この発明の実施例２によるスキャンモジュールのフォトセンサーを表す説明図である。
【図１０】この発明の実施例２によるスキャンモジュールで画像をスキャンするフローチャートである。
【図１１】この発明の実施例３によるスキャンモジュール８２のフォトセンサーを表す説明図である
【符号の説明】
【００３９】
１０、５０                      スキャナー
１２、５２                      ハウジング
１４、５４                      透明プラットホーム
１６、５６                      文書
１８、３３、５８、７２、８２    スキャンモジュール
２０、６０                      ステップモーター
２２、６２                      制御回路
２４、６４、７４、８４          第一原色フォトセンサー
２６、６６、７６、８６          第二原色フォトセンサー
２８、６８、７８、８８          第三原色フォトセンサー
３０、３４                      第一ピクセル
３２、３６                      第二ピクセル
【図１】
2006074717.tif 000003
【図２】
2006074717.tif 000004
【図３】
2006074717.tif 000005
【図４】
2006074717.tif 000006
【図５】
2006074717.tif 000007
【図６】
2006074717.tif 000008
【図７】
2006074717.tif 000009
【図８】
2006074717.tif 000010
【図９】
2006074717.tif 000011
【図１０】
2006074717.tif 000012
【図１１】
2006074717.tif 000013